(57)【要約】【課題】  展示物を直接的に触れなくてもその響き音を体験でき、且つ展示物の交換に応じて容易に響き音を出す装置を交換でき、消費者にそれぞれの展示物の響き音を一々と体験させて選択購買させられるようにする。【解決手段】  ホスト・コントロール・ボックス（１）と、タッチ・コントロール・ボタン（２）とを有し、前記ホスト・コントロール・ボックス（１）の内部にＩＣを交換可能な配置槽（１０）と響き音スピーカ配置槽（１１）を有すると共に、ワイヤを接続してホスト・コントロール・ボックス（１）の外縁部のコネクタ（１２）に接続され、前記タッチ・コントロール・ボタン（２）が可動的ワイヤ接続方式によって前記ホスト・コントロール・ボックス（１）に接続されてコントロールを実行するか、固定的ワイヤ接続方式によって接続されてコントロールを実行する。【選択図】図１
0003101793.tif 000002
【実用新案登録請求の範囲】
【請求項１】
ホスト・コントロール・ボックス（１）と、タッチ・コントロール・ボタン（２）とを有し、前記ホスト・コントロール・ボックス（１）の内部にＩＣを交換可能な配置槽（１０）と響き音スピーカ配置槽（１１）を有すると共に、ワイヤを接続してホスト・コントロール・ボックス（１）の外縁部のコネクタ（１２）に接続され、
前記タッチ・コントロール・ボタン（２）が可動的ワイヤ接続方式によって前記ホスト・コントロール・ボックス（１）に接続されてコントロールを実行するか、固定的ワイヤ接続方式によって接続されてコントロールを実行し、且つ展示棚（４）の形態と展示空間に応じてホスト・コントロール・ボックス（１）とタッチ・コントロール・ボタン（２）とを展示物の展示箇所に併設し、それによって展示物に対する直接的操作をなくし、展示棚（４）に独立的に展示物を配置することにより予め響き音を体験させるように構成したことを特徴とする展示物音声予め体験用装置。
【請求項２】
前記響き音スピーカ配置槽（１１）の接続ワイヤが外部接続式音声ボックス（５）に繋がれて、その外部接続式音声ボックス（５）より響き音を発声することを特徴とする請求項１に記載の展示物音声予め体験用装置。
【考案の詳細な説明】
【技術分野】
【０００１】
本考案は、展示物音声予め体験用装置に関するものである。
【背景技術】
【０００２】
一般の展示棚のことを言うと、特に大売り場のような商品が雑多な場合では、展示棚が大量に使用される物品となり、しかしながら、その機能は単に展示物を配置するものに過ぎなく、他の用途はない。また、一般に響き音のある展示物（本考案では目覚ましを例として説明する）、例えば目覚ましなど、それらを展示する展示棚には、単に目覚ましの新品を置くもので、且つ単にタイプ・ナンバーと値段とを標示するだけで、いずれの電気エネルギーもつけていなく、外見からは展示棚における目覚ましの響き音を了解できなく、その響き音のボリュームがどのぐらい大きいか、その響き音（音楽またはベルの鳴る音）の具体的な様子など、展示員に任せてバッテリを取り付けて、且つベルの鳴る時間を設定して、時間になる場合に、その響き音を体験する。そのような過程は消費者に時間と手数がかかると感じられて面倒と認められるほか、消費者らが繰り返して新品を試用した結果、容易に新品に磨耗させて古くならせるようになり、損害を速く招くようなことがあり、間接的にメーカに損を招き、且つ下記のような数点の欠点を有する：
（１）消費者に製品の響き音を体験させるために、消費者に直接的に触れさせると、盗難のチャンスを増加する虞があり、盗難の問題を厳しくならせることがある。
（２）消費者に直接的に触れさせると、その製品の使用状態を頻繁に注意する必要があるようになってしまい、そうでないと、他の消費者が試用の際にその響き音を了解できなくなってしまう場合に、購買しないように決意すると、売り上げをダウンさせる場合がある。
（３）商品にすべてバッテリをつけてパワーを提供する場合、展示品の実際の磨耗を招くことがあり、そのため、展示品にはすべてパワーがつけていなく、消費者は展示品の実施的機能を了解するために、展示員に任せてバッテリを取り付けて試用しなければならなく、一々試して試用すると、購買の時間と手数をおおくかかり、浪費を生じることがあり、そのため、一般に消費者は展示棚におけるすべての陳列商品を一々と体験しないようにし、消費者が本当のニーズの商品を細かく選んで買い物できないことがしばしばある。
【考案の開示】
【考案が解決しようとする課題】
【０００３】
従来のように、消費者に直接に展示品を触れさせて展示品の不当操作による損害や磨耗などを避けるために、且つ展示員の試し操作により時間と手数を多く係ることをなくすために、本考案は、展示物音声予め体験用装置を提供することによって時間と手数を節約すると共に、製品を壊せないように確保する効果を達成する。
【課題を解決するための手段】
【０００４】
本考案は、一種の展示物音声予め体験用装置を提供し、それが展示物と展示棚に合せて使用され、例えば目覚ましの響き音を体験する機能を発揮するものであり、その装置の本体は展示物の響き音ＩＣまたはベル装置とスピーカとを接続してホスト・コントロール・ボックス内に収納し、そのホスト・コントロール・ボックス外にコネクタを介してボタンを接続し、展示棚の据え付けることに合せて配置され、展示物がその自体を操作しなくても消費者にその展示物の響き音を聞かせることができ、直接的に展示物のスイッチを触れる必要はなく、展示物の損害率を減少すると共に、消費者の購買意欲を向上することができる。
【考案を実施するための最良の形態】
【０００５】
以下に添付図面を参照しながら、本考案の好適な実施の形態を詳細的で具体的に説明する。
【０００６】
図１に示すように、本考案の予め体験用装置には、ホスト・コントロール・ボックス１とタッチ・コントロール・ボタン２とを有し、それらを可動接続ワイヤによって接続し、または固定接続ワイヤによって接続する。その中、前記ホスト・コントロール・ボックス１の内部にＩＣを交換可能な配置槽１０（またはベル装置固定槽）が形成され、その他の側に響き音スピーカ配置槽１１が形成され、また、それらを相互にワイヤによって繋がり、且つそれぞれがホスト・コントロール・ボックス１の外縁部の二つのコネクタ１２，１２０に接続させ、コネクタ１２を介してタッチ・コントロール・ボタン２の接続ロッド２０を挿着し、それによってホスト・コントロール・ボックス１の作動を制御し、他のコネクタ１２０には外部接続式音声ボックス５を接続でき、その外端部に音声拡大用通孔３０を有する上カバー３によってカバーし、図２に示すように、予め体験用装置を展示棚４の形態になるように取り付け、且つ下記のような複数種の配置方式を採用できる。
【０００７】
その第一種の方式は、図２に示すように、主に予め体験用装置のホスト・コントロール・ボックス１を一対一の形式によって展示物に対応する展示棚４における位置に配置し、タッチ・コントロール・ボタン２を解説デスク４０に配置し、このような作法の場合では、消費者が操作方法を了解しないまま不当に展示物を操作することをなくすことができ、タッチ・コントロール・ボタン２を操作することによってホスト・コントロール・ボックス１のスピーカよりそれぞれの展示物の響き音を発声でき、消費者に響き音の具体的な様子を体験させることができ、予め体験する効果を得られる。
【０００８】
第二種の方式は図３に示すように、それぞれのホスト・コントロール・ボックス１の響き音スピーカを外部接続コネクタ１２０を介して接続し、且つ展示棚４の外部接続音声ボックス５に集中し、タッチ・コントロール・ボタン２によって外部接続音声ボックス５を介して集中的に響き音（ベル音またはミュージック）を発声させ、同じように快速的に直接的に響き音を体験できる。
【０００９】
第三種の方式は、図４に示すように、ホスト・コントロール・ボックス１とタッチ・コントロール・ボタン２とを展示物の下方に配置し、このような作法はスペースが有限である展示空間の場合（図５と図６参照）に適する。
【００１０】
本考案の最も優れる点は、展示棚における展示物が交換される場合、単に配置槽１０におけるＩＣまたはベル装置を交換すればよく、配線を改めて実行する必要はなく、便利的で快速的であり、同じように予め体験可能な効果を達成できる。
【産業上の利用可能性】
【００１１】
本考案の手段による場合、下記のような産業上の利用効果を得られる：
（１）本考案の提供する展示物響き音予め体験用装置は展示棚の配置に合せて展示物を配置でき、または展示物を独立的に配置することにも合せて使用でき、予め体験用装置より直接的に響き音を体験できるので、効果が速やかで直接的である。
（２）本考案による場合、展示物が交換される際に、速やかに相応する響き音を発声できる手段を交換でき、展示棚を取り外しなくてもよい。
（３）本考案は展示物の展示棚に対応して取り付けられ、直接的に複数種の製品の響き音の大きさの内容を納得でき、且つ音声を比較できるので、消費者が一々と所要する響き音を有する製品を選択購買できる。
【図面の簡単な説明】
【００１２】
【図１】本考案を示す分解斜視図である。
【図２】本考案の取り付け状況を示す説明図（一）である。
【図３】本考案の取り付け状況を示す説明図（二）である。
【図４】本考案の取り付け状況を示す説明図（三）である。
【図５】本考案の取り付け状況を示す説明図（四）である。
【図６】本考案の取り付け状況を示す説明図（五）である。
【符号の説明】
【００１３】
１    ホスト・コントロール・ボックス
２    タッチ・コントロール・ボタン
３    上カバー
４    展示棚
５    音声ボックス
１０  配置槽
１１  響き音スピーカ配置槽
１２  コネクタ
２０  接続ロッド
３０  音声拡大通孔
４０  解説デスク
１２０  コネクタ
【図１】
0003101793.tif 000003
【図２】
0003101793.tif 000004
【図３】
0003101793.tif 000005
【図４】
0003101793.tif 000006
【図５】
0003101793.tif 000007
【図６】
0003101793.tif 000008